(57)【特許請求の範囲】
【請求項１】
学習者が用いる複数の学習者端末と接続される学習支援システムであって、
各学習者端末に対して、講師が行う講義を動画像データとしてリアルタイムで提供しつつ、前記動画像データの提供中に、前記講義の内容に関連する問題を示す問題データを提供する情報提供部と、
前記動画像データの提供中に、前記学習者ごとに、前記問題に対する当該学習者の回答の正誤を判定した正誤判定結果を取得する取得部と、
前記動画像データの提供後に、前記学習者ごとに、当該学習者の正誤判定結果を用いて、前記講義の内容に対する習熟の度合いを示す習熟度を算出し、当該学習者の習熟度と各学習者の習熟度とを比較した比較結果を示す習熟度情報を、当該学習者が用いる学習者端末に提供する学習管理部と、を有し、
前記取得部は、前記学習者ごとに、当該学習者が用いる学習者端末に対して前記講義の内容を理解した旨の操作が行われた操作回数を当該学習者の講義に対する理解度として取得し、
前記学習管理部は、前記学習者ごとに、前記取得部が取得した理解度に応じた理解度情報を、当該学習者が用いる学習者端末に対して提供する、学習支援システム。
【請求項２】
前記取得部は、前記学習者ごとに、前記問題に対する前記学習者の回答時間を取得し、
前記学習管理部は、前記学習者ごとに、当該学習者の回答時間をさらに用いて、前記習熟度を算出する、請求項１に記載の学習支援システム。
【請求項３】
前記学習管理部は、前記正誤判定結果に基づく、前記問題の総数に対する正解した問題の数の割合である正解率が高いほど、前記習熟の度合いが高く、かつ、前記回答時間及び前記正誤判定結果に基づく、正解した問題の回答速度が速いほど、前記習熟の度合いが高くなるように、前記習熟度を算出する、請求項２に記載の学習支援システム。
【請求項４】
前記学習管理部は、前記学習者ごとに、当該学習者の各問題に対する正誤判定結果及び回答時間に基づいて、当該学習者の復習を支援する復習支援情報を生成して、当該学習者が用いる学習者端末に提供する、請求項１ないし３のいずれか一項に記載の学習支援システム。
【請求項５】
前記理解度情報は、理解度を所定のソーシャル・ネットワーキング・サービスに投稿するためのインターフェースを含む、請求項１ないし４のいずれか一項に記載の学習支援システム。
【請求項６】
前記取得部は、前記動画像データの提供中に、各学習者端末に対して入力されたメッセージを取得し、
前記学習管理部は、前記メッセージを各学習者端末に提供する、請求項１ないし５のいずれか一項に記載の学習支援システム。
【請求項７】
前記情報提供部は、前記問題データと共に、前記問題を所定の制限時間内に回答するように要求する情報を提供する、請求項１ないし６のいずれか一項に記載の学習支援システム。
【請求項８】
前記学習管理部は、前記動画像データの提供中に、各学習者の正誤判定結果を集計した集計結果を各学習者端末に提供する、請求項１ないし７のいずれか一項に記載の学習支援システム。
【請求項９】
前記学習管理部は、前記動画像データの提供中に、各学習者の正誤判定結果を集計した集計結果を講師に通知する、請求項１ないし８のいずれか一項に記載の学習支援システム。
【請求項１０】
学習者が用いる複数の学習者端末と接続される学習支援システムによる学習支援方法であって、
各学習者端末に対して、講師が行う講義を動画像データとしてリアルタイムで提供しつつ、前記動画像データの提供中に、前記講義の内容に関連する問題を示す問題データを提供し、
前記動画像データの提供中に、前記学習者ごとに、前記問題に対する当該学習者の回答の正誤を判定した正誤判定結果を取得し、
前記学習者ごとに、当該学習者が用いる学習者端末に対して前記講義の内容を理解した旨の操作が行われた操作回数を当該学習者の講義に対する理解度として取得し、
前記学習者ごとに、前記取得部が取得した理解度に応じた理解度情報を、当該学習者が用いる学習者端末に対して提供し、
前記動画像データの提供後に、前記学習者ごとに、当該学習者の正誤判定結果を用いて、前記講義の内容に対する習熟の度合いを示す習熟度を算出し、当該学習者の習熟度と各学習者の習熟度とを比較した比較結果を示す習熟度情報を、当該学習者が用いる学習者端末に提供する、学習支援方法。
【発明の詳細な説明】
【技術分野】
【０００１】
本開示は、効率的な学習を支援する技術に関する。
【背景技術】
【０００２】
特許文献１には、講義を動画像データとして、ネットワークを介して学習者が使用する端末装置に提供する技術が開示されている。
【０００３】
特許文献１に記載の技術では、講義の途中で動画像データの配信を演習問題の配信に切り替え、その後、所定時間が経過すると、講義の続きを配信している。
【先行技術文献】
【特許文献】
【０００４】
【特許文献１】特開２０１４−３８３２４号公報
【発明の概要】
【発明が解決しようとする課題】
【０００５】
近年、動画像データのリアルタイム配信（ライブ配信）が可能になっており、それに伴い、講師が行った講義を動画像データとしてリアルタイムに配信することが可能になっている。このような動画像データのリアルタイム配信による講義は、複数の学習者が同時に視聴することが可能であるため、複数の学習者が切磋琢磨して互いの学習効果を高めることが望まれている。
【０００６】
しかしながら、特許文献１に記載の技術では、講義の途中で演習問題を提供しているだけなので、複数の学習者が互いの学習効果を高めることが難しい。
【０００７】
本開示の目的は、講義のリアルタイム配信による学習効果の向上を図ることが可能な学習支援システムおよび学習支援方法を提供することである。
【課題を解決するための手段】
【０００８】
本開示の一態様に従う学習支援システムは、学習者が用いる複数の学習者端末と接続される学習支援システムであって、各学習者端末に対して、講師が行う講義を動画像データとしてリアルタイムで提供しつつ、前記動画像データの提供中に、前記講義の内容に関連する問題を示す問題データを提供する情報提供部と、前記学習者ごとに、前記問題に対する当該学習者の回答の正誤を判定した正誤判定結果を取得する取得部と、前記学習者ごとに、当該学習者の正誤判定結果を用いて、前記講義の内容に対する習熟の度合いを示す習熟度を算出し、当該学習者の習熟度と各学習者の習熟度とを比較した比較結果を示す習熟度情報を、当該学習者が用いる学習者端末に提供する学習管理部と、を有する。
【発明の効果】
【０００９】
本発明によれば、講義のリアルタイム配信による学習効果の向上を図ることが可能になる。
【図面の簡単な説明】
【００１０】
【図１】本開示の一実施形態に係る学習支援システムを示す図である。
【図２】本開示の一実施形態に係る学習支援システムのハードウェア構成の一例を示す図である。
【図３】本開示の一実施形態に係る学習支援システムの動作の一例を説明するためのフローチャートである。
【図４】学習者端末に表示する表示画面の一例を示す図である。
【図５】学習者端末に表示する表示画面の他の例を示す図である。
【図６】学習者端末に表示する表示画面の他の例を示す図である。
【図７】学習者端末に表示する表示画面の他の例を示す図である。
【図８】学習者端末に表示する表示画面の他の例を示す図である。
【図９】習熟度についてより具体的に説明するための図である。
【図１０】習熟度についてより具体的に説明するための図である。
【図１１】習熟度についてより具体的に説明するための図である。
【図１２】復習サジェストについてより具体的に説明するための図である。
【発明を実施するための形態】
【００１１】
以下、本開示の実施形態について図面を参照して説明する。
【００１２】
図１は、本開示の一実施形態に係る学習支援システムを示す図である。図１に示す学習支援システム１は、インターネットなどのネットワーク１０経由で学習者端末２と相互に接続され、学習者端末２に対して、所定の学習を支援する学習支援情報を提供する。所定の学習は、本実施形態では、国家試験、技能検定試験、入学試験または学力検査試験のような所定の本試験のための学習である。
【００１３】
学習者端末２は、所定の学習を行う学習者によって使用される情報端末である。学習者端末２は、学習支援システム１が提供する学習支援情報を受信し、その学習支援情報に応じた処理を行う。学習支援情報に応じた処理は、例えば、学習支援情報を出力する処理、および、学習支援情報に応じて入力された情報を学習支援システム１に送信する処理などである。
【００１４】
学習者端末２は、学習支援情報を受信するための専用の情報端末でもよいし、ＰＣ（Personal Computer）、スマートホンおよびタブレット端末のような汎用の情報端末でもよい。１人の学習者が使用する学習者端末２が複数あってもよいし、複数の学習者が１つの学習者端末２を共同で使用してもよい。また、学習者のＩＤなどを用いて情報端末を学習支援システム１にログインさせることで、ログインしている間、その情報端末を学習者端末２としてもよい。
【００１５】
学習支援システム１は、図１に示すように、情報提供部１１と、取得部１２と、学習管理部１３と、学習管理部１３とを有する。
【００１６】
情報提供部１１は、学習支援情報を学習者端末２に対して提供する。学習支援情報は、所定の学習に対する講師による講義を示す動画像データと、講義に関連する問題を示す問題データとを含む。
【００１７】
本実施形態では、情報提供部１１は、講師が行う講義をカメラやマイクなどを用いて動画像データとしてリアルタイムに取得して各学習者端末２に提供するリアルタイム配信を行う。また、情報提供部１１は、動画像データの提供中の所定のタイミングで問題データを提供する。問題データを提供するタイミングは、例えば、講師が問題データの提供を学習支援システム１に対して指示したタイミングなどである。問題データは動画像データの提供中に複数回提供されてもよいし、１つの問題データに複数の問題が含まれてもよい。なお、問題データの提供中に動画像データの提供を中断する必要はなく、学習者端末２の表示部（図示せず）に動画像データと問題データとを同時に表示させてもよい。
【００１８】
また、問題には、所定の制限時間が設定され、情報提供部１１は、問題データの提供時に、その問題データにて示される問題を制限時間以内に回答するように学習者に対して要求する回答要求情報を学習者端末に提供する。なお、問題データが複数の問題を含む場合、各問題に制限時間が設定されてもよいし、複数の問題全体に対して１つの制限時間が設定されてもよい。
【００１９】
取得部１２は、学習者ごとに、情報提供部１１が学習者端末２に提供した問題データが示す問題に対する学習者の回答の正誤を判定した正誤判定結果を取得する。例えば、取得部１２は、情報提供部１１が問題データを提供するたびに、その問題データにて示される問題に対する学習者の回答を学習者端末２から取得し、その回答の正誤を判定することで、正誤判定結果を取得する。正誤判定結果は、本実施形態では、問題に対する回答の正誤（正解又は不正解）を問題ごとに示す。
【００２０】
また、取得部１２は、問題データにて示される問題に対する学習者の回答時間を取得してもよい。回答時間は、例えば、情報提供部１１が問題データを提供してから回答を取得するまでの時間である。また、問題データが複数の問題を含む場合、回答時間は、問題データを提供してから一問目の問題の回答を取得するまでの時間と、前の問題の回答を取得してから当該問題の回答を取得するまでの時間である。なお、回答時間は、例えば、ミリ秒単位で取得されることが望ましいが、本実施形態では、秒単位で取得されるものとする。
【００２１】
また、取得部１２は、情報提供部１１による動画像データの提供中に、学習者ごとに、当該学習者が用いる学習者端末２に対して、講義の内容を理解した旨の操作が行われた操作回数を学習者の講義に対する理解度として取得する。本実施形態では、講義の内容を理解した旨の操作は、学習者端末２に表示した所定のボタンを押下する操作であり、情報提供部１１が、動画像データの提供中の所定のタイミングで、学習支援情報として所定のボタンを示すボタンデータを学習者端末２に対して提供して学習者端末２の画面に表示させる。ボタンデータを提供するタイミングは、ボタンデータの提供を学習支援システム１に対して指示したタイミングなどであり、本実施形態では、講師が問題データの各問題に対する解説を行った直後であるとする。以下、所定のボタンを「わかったボタン」と称することもある。
【００２２】
また、取得部１２は、情報提供部１１による動画像データの提供中に、各学習者端末２に対して入力されたメッセージを取得する。
【００２３】
学習管理部１３は、取得部１２にて取得された各学習者の正誤判定結果を集計した集計結果を生成する。学習管理部１３は、学習者ごとに、当該学習者の正誤判定結果と、集計結果と、問題データが示す問題の解説を示す解説データとを含む回答編データを、当該学習者の学習者端末２に提供する。また、学習管理部１３は、集計結果を講師に通知する。なお、学習者端末２に提供する集計結果と、講師に通知する集計結果とが異なっていてもよい。例えば、講師に詳細な集計結果を通知し、学習者端末２には簡易的な集計結果を送信してもよい。また、集計結果は、各学習者の回答時間を集計した情報を含んでもよい。
【００２４】
また、学習管理部１３は、学習者ごとに、取得部１２にて取得された当該学習者の各問題に対する正誤判定結果及び回答時間を用いて、動画像データにて示される講義の内容に対する習熟度を判定する。学習管理部１３は、学習者ごとに、当該学習者の習熟度と、各学習者の習熟度とを比較し、その比較結果を示す習熟度情報を、当該学習者が用いる学習者端末２に提供する。
【００２５】
また、学習管理部１３は、学習者ごとに、取得部１２にて取得された当該学習者の理解度に応じた理解度情報を、当該学習者が用いる学習者端末２に提供する。また、学習管理部１３は、各学習者の理解度の統計値（例えば、平均値など）を講師に通知してもよい。
【００２６】
また、学習管理部１３は、取得部１２にて取得されたメッセージを各学習者端末２に提供する。
【００２７】
また、学習管理部１３は、学習者ごとに、取得部１２にて取得された当該学習者の各問題に対する正誤判定結果及び回答時間に基づいて、学習者の復習を支援する復習支援情報である復習サジェストを、当該学習者が用いる学習者端末２に提供する。
【００２８】
図２は、学習支援システム１のハードウェア構成の一例を示す図である。図２に示すように学習支援システム１は、プロセッサ２１、メインメモリ２２、記録装置２３、入力装置２４および表示装置２５を有し、それらがバス２６を介して接続されている。
【００２９】
記録装置２３は、書き込みおよび読み出しが可能にデータを記録する装置であり、プロセッサ２１の動作を規定するプログラム、学習支援情報、および、取得部１２によって取得された正誤判定結果、回答時間、理解度及びメッセージなどを記録する。プロセッサ２１は、記録装置２３に記録されたプログラムをメインメモリ２２に読み出し、メインメモリ２２を利用してプログラムに応じた処理を実行する。プロセッサ２１によって、図１に示した学習支援システム１の各部１１〜１４が実現される。
【００３０】
入力装置２４は、学習支援システム１のオペレータ、講師および外部装置（図示せず）などから種々の情報が入力される装置であり、その情報はプロセッサ２１の処理に利用される。例えば、入力装置２４は、講師が動画像データ、問題データ及びボタンデータなどを提供するための種々の指示などを入力する装置、講師による講義を動画像として取得するカメラ及びマイクなどを含む。表示装置２５は、種々の情報を表示する装置である。表示装置２５は、例えば、各正誤判定結果の集計結果を表示してもよい。
【００３１】
図３は、学習支援システム１の動作を説明するためのフローチャートである。
【００３２】
先ず、情報提供部１１は、講師による講義を動画像データとして取得し、動画像データを含む表示画面データを各学習者端末２に提供することで、講義のリアルタイム配信を開始する（ステップS３０１）。なお、表示画面データの提供を受けた学習者端末２は、表示画面データを示す表示画面を自身の表示部に表示する。
【００３３】
図４は、表示画面の一例を示す図である。図４に示す表示画面４００は、種々の情報を表示する第１表示領域４０１及び第２表示領域４０２を含む。
【００３４】
図４の例では、動画像データ４１１が示す動画像（講師による講義）が第１表示領域４０１に表示され、学習者がメッセージを送信するための送信用情報４１２が第２表示領域４０２に表示されている。送信用情報４１２は、メッセージを入力するための入力ボックス４２１と、入力ボックス４２１に定型句を入力するための定型句リスト４２２と、入力ボックス４２１に入力されたメッセージを学習支援システム１に送信するための送信ボタン４２３とを含む。なお、入力ボックス４２１には定型句以外のメッセージを入力することもできる。
【００３５】
動作の説明に戻る。取得部１２は、各学習者端末２からメッセージが送信されてきたか否かを判断する（ステップＳ３０２）。
【００３６】
メッセージが送信されてきた場合、取得部１２は、そのメッセージを取得する。学習管理部１３は、取得されたメッセージを各学習者端末２に配信する（ステップＳ３０３）。例えば、学習管理部１３は、情報提供部１１にて提供される動画像データにメッセージを重畳してもよいし、メッセージを第２表示領域４０２のような動画像データとは別の領域に表示するように提供してもよい。
【００３７】
メッセージが送信されてきていない場合、及び、ステップＳ３０３でメッセージを提供した場合、学習管理部１３は、問題データを提供するタイミングか否かを判断する（ステップＳ３０４）。
【００３８】
問題データを提供するタイミングの場合、学習管理部１３は、情報提供部１１に問題データの提供を指示する。情報提供部１１は、その指示を応じて、問題データ及び回答要求情報を各学習者端末２に提供する（ステップS３０５）。例えば、情報提供部１１は、問題データ及び回答要求情報を含む表示画面データを各学習者端末２に提供する。
【００３９】
図５は、ステップS３０５で学習者端末２に表示される表示画面の一例を示す図である。図５の例では、動画像データ４１１が示す動画像が第１表示領域４０１に表示され、問題データが示す問題文５０１及び選択肢５０２と、回答要求情報５０３とが第２表示領域４０２に表示されている。
【００４０】
問題文５０１は、問題の内容を示すテキスト情報である。選択肢５０２は、問題の回答の選択肢を示すテキストである。この場合、学習者は、選択肢５０２のいずれかを選択することで問題に回答する。学習者端末２は、選択された選択肢５０２を問題データの回答として学習支援システム１に送信する。
【００４１】
回答要求情報５０３は、問題を制限時間内に回答するように要求する情報であり、図の例では、制限時間の残り時間をカウントダウン形式で示している。
【００４２】
動作の説明に戻る。取得部１２は、学習者ごとに、当該学習者の学習者端末２から、問題データにて示される問題に対する学習者の回答を取得し、その回答の正誤を判定することで、正誤判定結果を取得する（ステップＳ３０６）。なお、学習者が制限時間内に回答しなかった場合、取得部１２は、その問題に対する正誤判定結果を「不正解」とする。
【００４３】
学習管理部１３は、取得部１２が取得した各学習者の正誤判定結果を集計して集計結果を生成する。学習管理部１３は、学習者ごとに、当該学習者の正誤判定結果と、集計結果と、問題データが示す問題の解説を示す解説データとを含む回答編データを、当該学習者の学習者端末２に提供する（ステップS３０７）。例えば、学習管理部１３は、情報提供部１１にて提供される表示画面データに回答編データを加えることで、回答編データを提供する。なお、解説データは、例えば、問題データと対応付けて図２のメインメモリ２２又は記録装置２３に予め記憶される。また、回答編データは、正誤判定結果の集計後に自動的に提供されてもよいし、講師からの指示に従って提供されてもよい。
【００４４】
図６は、ステップS３０７で学習者端末２に表示される表示画面の一例を示す図である。図６の例では、動画像データ４１１が示す動画像が第１表示領域４０１に表示され、正誤判定結果６０１と、集計結果６０２と、解説データが示す解説６０３とが第２表示領域４０２に表示されている。集計結果６０２は、講義を視聴している学習者の人数に対する問題に正解した学習者の割合である正解率６０２ａと、問題の各選択肢を選択した学習者の人数の比率を示すグラフ６０２ｂなどを含む。
【００４５】
動作の説明に戻る。講師による問題の解説が終了すると、学習管理部１３は、ボタンデータを各学習者端末２に提供する。その後、取得部１２は、学習者ごとに、ボタンデータにて示される「わかったボタン」を押下した操作回数を学習者の講義に対する理解度として取得する。学習管理部１３は、学習者ごとに、理解度に応じた理解度情報を、当該学習者の学習者端末２に提供する（ステップS３０８）。なお、ボタンデータ及び理解度情報は、例えば、情報提供部１１にて提供される表示画面データに加えられることで提供される。また、学習管理部１３は、理解度情報の集計結果（例えば、理解度の平均値など）を講師に通知してもよい。
【００４６】
図７は、ステップＳ３０８で学習者端末２に表示される表示画面の一例を示す図である。図７の例では、第１表示領域４０１及び第２表示領域４０２に跨って第３表示領域７００が重畳されている。第３表示領域７００には、わかったボタン７０１と、理解度ゲージ７０２と、理解度アイコン７０３と、投稿ボタン７０４とが表示されている。理解度ゲージ７０２、理解度アイコン７０３及び投稿ボタン７０４は、理解度情報である。
【００４７】
理解度ゲージ７０２は、理解度を示すメータであり、理解度が高いほど、理解度ゲージ７０２の目盛りが増える。図の例では、最大値を１２としている。つまり、わかったボタン７０１が押下されるたびに、ゲージの目盛りが１２まで１つずつ増えていく。理解度アイコン７０３は、理解度ゲージ７０２の値である理解度に応じた画像であり、例えば、わかったボタン７０１の押下が終了した後に表示される。なお、学習者には、講義を理解できた程度が大きいほど、わかったボタン７０１を押下するように予め要求しておいてもよい。
【００４８】
投稿ボタン７０４は、理解度を所定のＳＮＳ（Social Networking Service：ソーシャル・ネットワーキング・サービス）に投稿するためのインターフェースである。投稿ボタン７０４が操作（押下）されると、理解度が所定のＳＮＳに投稿される。投稿ボタン７０４は、ＳＮＳの種類ごとに複数設けられてもよい。
【００４９】
動作の説明に戻る。ステップＳ３０４で問題データを提供するタイミングではない場合、及び、ステップＳ３０８を終了した場合、学習管理部１３は、情報提供部１１が動画像データの提供を終了したか否かを判断する（ステップＳ３０９）。動画像の提供が終了していない場合、ステップＳ３０２の処理に戻る。
【００５０】
動画像の提供が終了した場合、学習管理部１３は、学習者ごとに、取得部１２が取得した当該学習者の正誤判定結果及び回答時間を用いて、講義の内容に対する習熟度を判定する。学習管理部１３は、学習者ごとに、学習管理部１３にて判定された当該学習者の習熟度と各学習者の習熟度とを比較し、その比較結果を示す習熟度ピラミッドを生成する（ステップＳ３１０）。
【００５１】
学習管理部１３は、学習者ごとに、取得部１２が取得した当該学習者の正誤判定結果及び回答時間に基づいて、当該学習者に対する復習サジェストを生成する（ステップＳ３１１）。そして、学習管理部１３は、学習者ごとに、生成した習熟度ピラミッド及び復習サジェストを、当該学習者の学習者端末２に提供し（ステップS３１２）、処理を終了する。なお、習熟度ピラミッド及び復習サジェストは、例えば、情報提供部１１にて提供される表示画面データに加えられることで提供される。
【００５２】
図８は、ステップＳ３１２で学習者端末２に表示される表示画面の一例を示す図である。図８の例では、習熟度ピラミッド８０１が第１表示領域４０１に表示され、復習サジェスト８０２が第２表示領域４０２に表示されている。
【００５３】
習熟度ピラミッド８０１は、学習者の習熟度を他者の習熟度と比較した比較結果を示す習熟度情報であり、全学習者の習熟度を所定の数（ここでは、３とする）の段階に分類し、当該学習者の習熟度が各段階にいずれに含まれるかを視覚的に示したピラミッド図である。また、習熟度ピラミッド８０１は、学習者が含まれる段階に応じたコメント（例えば、「たいへんよくできました」、「もう少し頑張りましょう」など）を含んでもよい。なお、習熟度情報は、ピラミッド図以外の形式でもよい。
【００５４】
復習サジェスト８０２は、学習者の復習を支援する復習支援情報であり、例えば、講師による講義で使用されるテキストのうち、学習者に復習を提案する箇所を示す。
【００５５】
図９〜図１１は、習熟度についてより具体的に説明するための図である。図９〜図１１の例は、学習者の習熟度を、習熟の度合いが高い方から順に、習熟度Ａ、習熟度Ｂと、習熟度Ｃの３つの段階に分類している。
【００５６】
図９に示すように、学習管理部１３は、学習者ごとに、回答の正解率が高いほど、習熟の度合いが高くなり、かつ、正解した問題の回答速度（具体的には、各問題の回答速度の平均値）が速いほど、習熟の度合いが高くなるように、習熟度を決定する。回答の正解率は、具体的には、問題の総数に対する正解した問題の数の割合であり、正誤判定結果に基づいて算出される。正解した問題の回答速度は、正誤判定結果及び回答時間に基づいて算出される。、回答速度は、ここでは、（制限時間−回答時間）／制限時間とする。
【００５７】
図１０及び図１１は、習熟度ピラミッドの生成方法の具体例を説明するための図である。図１０では、Ｎｏ．１からＮｏ．５までの５題の各問題における、正誤判定結果（正解／不正解）と、回答時間と、制限時間とが示されている。この場合、学習管理部１３は、正解率及び正解した問題の回答速度をそれぞれ、正解率＝３／５＝０．６、正解した問題の回答速度＝（（１０−４）／１０＋（２０−９）／２０＋（６０−３１）／６０）／３＝０．５４と算出し、それらの積０．６×０．５４を習熟度として算出する。
【００５８】
そして、図１１に示すように、学習管理部１３は、習熟度が０以上第１閾値（ここでは、０．３）未満を習熟度Ｃ、習熟度が第１閾値以上第２閾値（ここでは、０．６）未満を習熟度Ｂ、習熟度が第２閾値以上を習熟度Ａと決定する。第１閾値及び第２閾値は、例えば、習熟度A〜Cのそれぞれに分類される学習者の人数が所定の比率となるように決定される。
【００５９】
なお、ここで説明した習熟度は単なる一例であって、これに限定されるものではない。例えば、習熟ピラミッドにおいて、習熟度は２段階又は４段階以上に分類されてもよい。また、習熟度の算出に、取得部１２で取得された理解度がさらに用いられてもよい。例えば、理解度が高いほど、習熟の度合いが高くなるように習熟度が決定されてもよい。
【００６０】
図１２は、復習サジェストの具体例を説明するための図である。図１２では、図１０で示した正誤判定結果（正解／不正解）、回答時間及び制限時間の場合における復習対象となる問題である復習対象問題を示す図である。
【００６１】
先ず、問題データが示す各問題と各問題に対応する復習提案内容とを紐づけて予めメインメモリ２２又は記録装置２３に登録しておく。
【００６２】
学習管理部１３は、不正解の問題と、正解の問題のうち、回答速度が所定位置以上の問題とを復習対象問題として特定する。回答速度は、ここでは、回答時間／制限時間とし、所定値を０．８とする。この場合、学習管理部１３は、ＮＯ．１及びＮｏ．３の問題が不正解であり、ＮＯ．４の問題は正解であるが、回答速度が０．９であるため、ＮＯ．１、Ｎｏ．３及びＮｏ．４の３つの問題を復習対象問題として特定する。
【００６３】
そして、学習管理部１３は、復習対象問題と紐づけられた復習提案内容を復習サジェストとして生成する。復習提案内容は、例えば、講師による講義で使用されるテキストのうち、問題に対応する箇所を示す。また、復習提案内容は、復習すべき内容をテキストなどで記した情報などでもよい。
【００６４】
以上説明したように本実施形態によれば、リアルタイムで提供されている講義の学習者ごとに、その学習者の講義の内容に対する習熟度と各学習者の習熟度とを比較した比較結果を示す習熟度情報が提供される。このため、各学習者は、自身の学習状況を他者と比較することが可能になり、例えば、学習状況が他者よりも良い上位者には優越感を与え、他者に負けないようにやる気を出させたり、学習状況が他者よりも悪い下位者には自身の状況を強く認識させ、上位者を目指すように奮起させたりすることが可能になる。したがって、講義のリアルタイム配信による学習効果の向上を図ることが可能となる。
【００６５】
また、本実施形態では、正誤判定結果及び回答速度に応じて習熟度が算出される。講義の内容を理解しているほど、正誤判定結果の成績が良くなり、回答時間が短くなるため、習熟度を適切に判定することが可能になる。
【００６６】
また、本実施形態では、学習者ごとに、その学習者の各問題に対する正誤判定結果及び回答時間に基づいて、学習者の復習を支援する復習支援情報が提供される。したがって、学習者の苦手分野などの弱点に応じた復習の支援が可能となるため、弱点の克服により、学習状況を改善させることが可能になる。このため、本試験での得点アップを図ることも可能となる。
【００６７】
また、本実施形態では、「わかったボタン」を押下した回数が学習者の講義に対する理解度として取得され、その理解度に応じた理解度情報が提供される。このため、学習者自身が講義を理解したことをアクションで明示させることが可能となり、学習に対する楽しさと自信を持たせることが可能となる。また、講師は、理解度に基づいて、自身の説明が学習者に伝わっているか、及び、自身の説明が学習者の理解に貢献できているかなどを判断することが可能となる。
【００６８】
また、本実施形態では、理解度をＳＮＳに投稿するための投稿ボタンが提供されるため、学習者は学習の結果が出ていることを他者に公開することが可能となり、承認欲求を満たし、学習意欲を向上させることが可能になる。
【００６９】
また、本実施形態では、講義のリアルタイム配信中に各学習者端末２に対して入力されたメッセージを各学習者端末に提供する。このため、同時に講義を視聴している学習者同士のメッセージを互いに読むことができるため、参加意識を高めることが可能となる。したがって、モチベーションの向上を図ることが可能となり、学習者を最後まで集中して受講させることが可能となる。また、講師は、メッセージを確認することで、他の学習者の状況をリアルタイムに把握することが可能となる、学習者の状況に応じた適切な講義が可能となる。
【００７０】
また、本実施形態では、問題データと共に、問題を制限時間内に回答するように要求する情報が提供される。このため、制限時間内に問題を解く訓練を行うことが可能となり、本試験での回答速度の向上を図ることが可能となる。また、講義への参加意識と集中力を向上させることができ、講義による学習効果を高くすることが可能となる。
【００７１】
また、本実施形態では、講義を示す動画像データの提供中に、各学習者の正誤判定結果を集計した集計結果が各学習者端末２に提供されるため、学習者の理解状況を講義中に明確にすることが可能となるため、学習意欲の向上を図ることが可能となる。
【００７２】
また、本実施形態では、講義を示す動画像データの提供中に、各学習者の正誤判定結果を集計した集計結果が講師に通知されるため、講師は集計結果に応じて、学習者に適切な解説を行うことが可能になる。
【００７３】
上述した各開示の実施形態は、本開示の説明のための例示であり、本開示の範囲をそれらの実施形態にのみ限定する趣旨ではない。当業者は、本発明の範囲を逸脱することなしに、他の様々な態様で本発明を実施することができる。
【符号の説明】
【００７４】
１：学習支援システム、２：学習者端末、１１：情報提供部、１２：取得部、１３：学習管理部
【要約】
【課題】講義のリアルタイム配信による学習効果の向上を図ることが可能な学習支援システムを提供する。
【解決手段】
情報提供部１１は、各学習者端末２に対して、講師が行う講義を動画像データとしてリアルタイムで提供しつつ、動画像データの提供中に、講義の内容に関連する問題を示す問題データを提供する。取得部１２は、学習者ごとに、問題に対する当該学習者の回答の正誤を判定した正誤判定結果を取得する。学習管理部１３は、学習者ごとに、当該学習者の正誤判定結果を用いて、講義の内容に対する習熟の度合いを示す習熟度を算出し、当該学習者の習熟度と各学習者の習熟度とを比較した比較結果を示す習熟度情報を、当該学習者が用いる学習者端末２に提供する。
【選択図】図１【図１】
0006722960.tif 000002
【図２】
0006722960.tif 000003
【図３】
0006722960.tif 000004
【図４】
0006722960.tif 000005
【図５】
0006722960.tif 000006
【図６】
0006722960.tif 000007
【図７】
0006722960.tif 000008
【図８】
0006722960.tif 000009
【図９】
0006722960.tif 000010
【図１０】
0006722960.tif 000011
【図１１】
0006722960.tif 000012
【図１２】
0006722960.tif 000013